(57)【要約】【課題】  ワイヤハーネスの多段配索を簡単に行うことができるワイヤハーネス用プロテクタを提供する。【解決手段】  底壁１２と両側壁１３，１３′を有してワイヤハーネス８を挿通させたコルゲートチューブ９を多段に積み重ねるように収容する樋状のプロテクタ本体１１と、プロテクタ本体１１の両側壁１３，１３′の上端１３ａ，１３ａ間の開口部１３ｂを覆うカバー１８とから成り、プロテクタ本体１１内に収容された下段側に位置するコルゲートチューブ９をプロテクタ本体１１内で位置決めして保持する電線保持用スペーサ２０を設けたワイヤハーネス用プロテクタ１０において、プロテクタ本体１１の両側壁１３，１３′の一方の側壁１３にヒンジ部２１を介して電線保持用スペーサ２０を一体形成し、この電線保持用スペーサ２０の両側壁１３，１３′の他方の側壁１３′に対向する位置に該他方の側壁１３′の係合部１７′に係止・離脱される係止部２４を設けた。【選択図】      図１
2005295728.tif 000002
【特許請求の範囲】
【請求項１】
底壁と両側壁を有してワイヤハーネスを上下方向に多段に積み重ねるように収容する樋状のプロテクタ本体と、このプロテクタ本体の両側壁の上端間の開口部を覆うカバーとから成り、前記プロテクタ本体内に収容された下段側に位置するワイヤハーネスを該プロテクタ本体内で位置決めして保持する電線保持用スペーサを設けたワイヤハーネス用プロテクタにおいて、
前記プロテクタ本体の両側壁の一方の側壁にヒンジ部を介して前記電線保持用スペーサを一体形成し、この電線保持用スペーサの前記両側壁の他方の側壁に対向する位置に該他方の側壁の係合部に係止・離脱される係止部を設けたことを特徴とするワイヤハーネス用プロテクタ。
【請求項２】
請求項１記載のワイヤハーネス用プロテクタであって、
前記プロテクタ本体の底壁に前記ワイヤハーネスを左右方向に並列に複数収容する際の仕切りとなる少なくとも一つの仕切壁を設け、この仕切壁及び前記プロテクタ本体の両側壁に前記電線保持用スペーサを収容する切欠部をそれぞれ設け、前記一方の側壁の切欠部の下縁部に前記ヒンジ部を介して前記電線保持用スペーサを開閉動自在に支持したことを特徴とするワイヤハーネス用プロテクタ。
【請求項３】
底壁と両側壁を有してワイヤハーネスを挿通させたコルゲートチューブを上下方向に多段に積み重ねるように収容する樋状のプロテクタ本体と、このプロテクタ本体の両側壁の上端間の開口部を覆うカバーとから成り、前記プロテクタ本体内に収容された下段側に位置するコルゲートチューブを該プロテクタ本体内で位置決めして保持する電線保持用スペーサを設けたワイヤハーネス用プロテクタにおいて、
前記プロテクタ本体の両側壁の一方の側壁にヒンジ部を介して前記電線保持用スペーサを一体形成し、この電線保持用スペーサの前記両側壁の他方の側壁に対向する位置に該他方の側壁の係合部に係止・離脱される係止部を設けたことを特徴とするワイヤハーネス用プロテクタ。
【請求項４】
請求項３記載のワイヤハーネス用プロテクタであって、
前記プロテクタ本体の底壁に前記コルゲートチューブを左右方向に並列に複数収容する際の仕切りとなる少なくとも一つの仕切壁を設け、この仕切壁及び前記プロテクタ本体の両側壁に前記電線保持用スペーサを収容する切欠部をそれぞれ設け、前記一方の側壁の切欠部の下縁部に前記ヒンジ部を介して前記電線保持用スペーサを開閉動自在に支持したことを特徴とするワイヤハーネス用プロテクタ。
【発明の詳細な説明】
【技術分野】
【０００１】
本発明は、例えば車両用の複数のワイヤハーネスを収容して保護するワイヤハーネス用プロテクタに関する。
【背景技術】
【０００２】
この種のワイヤハーネス用プロテクタとして、図４及び図５に示すたものがある（例えば、特許文献１参照。）。
【０００３】
このワイヤハーネス用プロテクタ１は、ワイヤハーネス８を挿通させたコルゲートチューブ９を収容する合成樹脂製で樋状のプロテクタ本体２と、このプロテクタ本体２の両側壁２ａ，２ａ′間を覆うカバー３から構成されている。
【０００４】
このプロテクタ本体２の両側壁２ａ，２ａ′間の上段側は２本のコルゲートチューブ９，９が収容される上段側収容部４になっていると共に、下段側は１本のコルゲートチューブ９が収容される下段側収容部５になっている。
【０００５】
そして、プロテクタ本体２の両側壁２ａ，２ａ′間の下段側には、上段側収容部４と下段側収容部５を仕切るスペーサ７が着脱自在に取り付けられるようになっている。即ち、スペーサ７の両側に垂下した一対のフランジ部７ａ，７ａの各ロック孔７ｂを、プロテクタ本体２の下段側収容部５の内壁面に突設された一対のロック部６，６に係止・離脱させることにより着脱されるようになっている。このスペーサ７によりプロテクタ本体２の下段側収容部５内に１本のコルゲートチューブ９が移動することなく位置決めされて保持されるようになっている。
【０００６】
尚、プロテクタ本体２の上段側収容部４の一部の底面と下段側収容部５の底面と、カバー３の内面、及び、スペーサ７の端部の表裏面には、コルゲートチューブ９の凹凸外面の環状凹部９ａに係止されるチューブ係止用リブ２ｃ，３ｃ，７ｃを突設してある。
【特許文献１】特開２００１−３５９２１７号公報
【特許文献２】特開２００２−２２５６４８号公報
【発明の開示】
【発明が解決しようとする課題】
【０００７】
しかしながら、前記従来のワイヤハーネス用プロテクタ１では、プロテクタ本体２内にワイヤハーネス８を挿通させたコルゲートチューブ９をスペーサ７を介して多段に積み重ねて収容する場合に、スペーサ７の両側の一対のロック孔７ｂ，７ｂをプロテクタ本体２の相対向する各内壁面の一対のロック部６，６にそれぞれ係止しなければならないため、スペーサ７の取付作業が煩雑となり、コルゲートチューブ９を外装したワイヤハーネス８をプロテクタ本体２内に多段に積み重ねて配置するワイヤハーネス８の多段配索に手間を要した。
【０００８】
そこで、本発明は、前記した課題を解決すべくなされたものであり、ワイヤハーネスの多段配索を確実かつ簡単に行うことができるワイヤハーネス用プロテクタを提供することを目的とする。
【課題を解決するための手段】
【０００９】
請求項１の発明は、底壁と両側壁を有してワイヤハーネスを上下方向に多段に積み重ねるように収容する樋状のプロテクタ本体と、このプロテクタ本体の両側壁の上端間の開口部を覆うカバーとから成り、前記プロテクタ本体内に収容された下段側に位置するワイヤハーネスを該プロテクタ本体内で位置決めして保持する電線保持用スペーサを設けたワイヤハーネス用プロテクタにおいて、前記プロテクタ本体の両側壁の一方の側壁にヒンジ部を介して前記電線保持用スペーサを一体形成し、この電線保持用スペーサの前記両側壁の他方の側壁に対向する位置に該他方の側壁の係合部に係止・離脱される係止部を設けたことを特徴とする。
【００１０】
請求項２の発明は、請求項１記載のワイヤハーネス用プロテクタであって、前記プロテクタ本体の底壁に前記ワイヤハーネスを左右方向に並列に複数収容する際の仕切りとなる少なくとも一つの仕切壁を設け、この仕切壁及び前記プロテクタ本体の両側壁に前記電線保持用スペーサを収容する切欠部をそれぞれ設け、前記一方の側壁の切欠部の下縁部に前記ヒンジ部を介して前記電線保持用スペーサを開閉動自在に支持した特徴とする。
【００１１】
請求項３の発明は、底壁と両側壁を有してワイヤハーネスを挿通させたコルゲートチューブを上下方向に多段に積み重ねるように収容する樋状のプロテクタ本体と、このプロテクタ本体の両側壁の上端間の開口部を覆うカバーとから成り、前記プロテクタ本体内に収容された下段側に位置するコルゲートチューブを該プロテクタ本体内で位置決めして保持する電線保持用スペーサを設けたワイヤハーネス用プロテクタにおいて、前記プロテクタ本体の両側壁の一方の側壁にヒンジ部を介して前記電線保持用スペーサを一体形成し、この電線保持用スペーサの前記両側壁の他方の側壁に対向する位置に該他方の側壁の係合部に係止・離脱される係止部を設けたことを特徴とする。
【００１２】
請求項４の発明は、請求項３記載のワイヤハーネス用プロテクタであって、前記プロテクタ本体の底壁に前記コルゲートチューブを左右方向に並列に複数収容する際の仕切りとなる少なくとも一つの仕切壁を設け、この仕切壁及び前記プロテクタ本体の両側壁に前記電線保持用スペーサを収容する切欠部をそれぞれ設け、前記一方の側壁の切欠部の下縁部に前記ヒンジ部を介して前記電線保持用スペーサを開閉動自在に支持した特徴とする。
【発明の効果】
【００１３】
以上説明したように、請求項１の発明によれば、プロテクタ本体の両側壁の一方の側壁に一体形成されたヒンジ部を介して電線保持用スペーサを閉動作して該電線保持用スペーサの係止部をプロテクタ本体の他方の側壁の係合部に係止するだけの簡単な操作により、下段側に位置するワイヤハーネスを該プロテクタ本体内に位置決めして保持することができるため、ワイヤハーネスの多段配索を確実かつ簡単に行うことができる。
【００１４】
請求項２の発明によれば、プロテクタ本体の底壁に仕切壁を設け、この仕切壁及びプロテクタ本体の両側壁に電線保持用スペーサを収容する切欠部を設け、一方の側壁の切欠部の下縁部にヒンジ部を介して電線保持用スペーサを開閉動自在に支持したので、プロテクタ本体の両側壁及び仕切壁の切欠部に電線保持用スペーサを収容することができると共に、プロテクタ本体内の上下方向及び左右方向に仕切壁及び電線保持用スペーサを介してより多くのワイヤハーネスを多段に位置決めして簡単に配索することができる。
【００１５】
請求項３の発明によれば、プロテクタ本体の両側壁の一方の側壁に一体形成されたヒンジ部を介して電線保持用スペーサを閉動作して該電線保持用スペーサの係止部をプロテクタ本体の他方の側壁の係合部に係止するだけの簡単な操作により、ワイヤハーネスを挿通させた下段側に位置するコルゲートチューブを該プロテクタ本体内に位置決めして保持することができるため、ワイヤハーネスを挿通させたコルゲートチューブの多段配索を確実かつ簡単に行うことができる。
【００１６】
請求項４の発明によれば、プロテクタ本体の底壁に仕切壁を設け、この仕切壁及びプロテクタ本体の両側壁に電線保持用スペーサを収容する切欠部を設け、一方の側壁の切欠部の下縁部にヒンジ部を介して電線保持用スペーサを開閉動自在に支持したので、プロテクタ本体の両側壁及び仕切壁の切欠部に電線保持用スペーサを収容することができると共に、プロテクタ本体内の上下方向及び左右方向に仕切壁及び電線保持用スペーサを介してワイヤハーネスを挿通させたより多くのコルゲートチューブを多段に位置決めして簡単に配索することができる。
【発明を実施するための最良の形態】
【００１７】
以下、本発明の実施形態を図面に基づいて説明する。
【００１８】
図１は本発明の実施形態のワイヤハーネス用プロテクタのカバーを閉じる前の状態を示す斜視図、図２は同カバーを閉じた状態を示す正面図である。
【００１９】
図１，図２に示すように、ワイヤハーネス用プロテクタ１０は、底壁１２と該底壁１２の両端側より上方に起立した両側壁１３，１３′とで樋状（断面コ字状）に形成され、その内部にワイヤハーネス８を挿通させたコルゲートチューブ９を上下方向に２段（多段）に積み重ねるように収容すると共に、仕切壁１４を介して左右方向に２本並列に収容する合成樹脂製のプロテクタ本体１１と、このプロテクタ本体１１の両側壁１３，１３′の上端１３ａ，１３ａ間の開口部１３ｂを開閉する合成樹脂製のカバー１８とから構成されている。
【００２０】
図１に示すように、プロテクタ本体１１の一端側（図１中左端側）の電線導出口１５ａに至る底壁１２は下方に傾斜して形成されていると共に、その中央から他端側（図１中右端側）の電線導出口１５ｂに至る底壁１２は平面へ字状に屈曲形成されている。また、底壁１２の両側壁１３，１３′間の中央には該両側壁１３，１３′と同じ高さの仕切壁１４が上方に一体突出形成されている。この仕切壁１４は、プロテクタ本体１１内にワイヤハーネス８を挿通させたコルゲートチューブ９を収容する際に該コルゲートチューブ９を左右方向に２列（複数列）に並列に収容する仕切りとなっている。さらに、プロテクタ本体１１の両側壁１３，１３′の外側には、車体等に取り付けるための各一対のブラケット１６ａ，１６ａ及び１６ｂ，１６ｂをそれぞれ一体突出形成してある。
【００２１】
また、図１及び図２に示すように、カバー１８はプロテクタ本体１１の両側壁１３，１３′の外側に覆い被さる断面コ字状に形成されており、その両側には先端が鉤状の係止爪（係止部）１９を所定間隔毎にそれぞれ一体突出形成してある。この各係止爪１９に対向するプロテクタ本体１１の両側壁１３，１３′の外側には、該各係止爪１９が係止・離脱される略四角筒状（枠状）の係合部１７をそれぞれ一体突出形成してある。これら係合部１７と係止爪１９とでプロテクタ本体１１の両側壁１３，１３′とカバー１８との閉状態をロックするロック手段が構成されている。
【００２２】
さらに、プロテクタ本体１１の両側壁１３，１３′及び仕切壁１４の電線導出口１５ｂ寄りの位置には矩形の切欠部１３ｃ，１４ｃを形成してある。また、プロテクタ本体１１の一方の側壁１３の切欠部１３ｃの下縁部１３ｃ′には薄肉のヒンジ部２１を介して電線保持用スペーサ２０を一体突出形成してある。
【００２３】
この電線保持用スペーサ２０は、薄肉のヒンジ部２１を介してを開閉動自在に支持してあり、プロテクタ本体１１内に収容された下段に位置するコルゲートチューブ９を該プロテクタ本体１１の底壁１２間で位置決めして保持するものである。即ち、電線保持用スペーサ２０の表面２０ａの両側には両側壁２２，２２′を一体突出形成してあると共に、その中央にはコルゲートチューブ９を左右方向に並列に２本収容する際の仕切りとなる仕切壁２３を一体突出形成してある。
【００２４】
また、電線保持用スペーサ２０の他方の側壁２２′の下端には、先端が鉤状の係止爪（係止部）２４を下方に延びるように一体突出形成してある。この係止爪２４に対向するプロテクタ本体１１の他方の側壁１３′の切欠部１３ｃの下側には、該係止爪２４が係止・離脱される略四角筒状（枠状）の係合部１７′を一体突出形成してある。これら係合部１７′と係止爪２４とでプロテクタ本体１１の両側壁１３，１３′及び仕切壁１４の各切欠部１３ｃ，１４ｃ内に電線保持用スペーサ２０を倒した閉状態をロックするロック手段が構成されている。この際、電線保持用スペーサ２０はプロテクタ本体１１の両側壁１３，１３′及び仕切壁１４の各切欠部１３ｃ，１４ｃ内に収容され、該電線保持用スペーサ２０の両側壁２２，２２′及び仕切壁２３はプロテクタ本体１１の両側壁１３，１３′及び仕切壁１４と同位置に位置するようになっている。
【００２５】
また、電線保持用スペーサ２０の裏面２０ｂには、下段に位置する各コルゲートチューブ９の凹凸外面の環状凹部９ａに係止される複数のチューブ係止用リブ（チューブ係止部）２５を一体突出形成してある。この各チューブ係止用リブ２５に対向するプロテクタ本体１１の両側壁１３，１３′及び仕切壁１４の相対向する面には、下段に位置する各コルゲートチューブ９の凹凸外面の環状凹部９ａに係止されるチューブ係止用リブ（チューブ係止部）１３ｄ，１４ｄをそれぞれ一体突出形成してある。さらに、電線保持用スペーサ２０の表面２０ａの両側壁２２，２２′及び仕切壁２３の相対向する面には、上段に位置する各コルゲートチューブ９の凹凸外面の環状凹部９ａに係止されるチューブ係止用リブ（チューブ係止部）２６をそれぞれ一体突出形成してある。
【００２６】
尚、プロテクタ本体１１の底壁１２と両側壁１３，１３′及び仕切壁１４の中途部及び両電線導出口１５ａ，１５ｂ側には、上，下段に位置する各コルゲートチューブ９の凹凸外面の環状凹部９ａに係止されるＵ字状のチューブ係止用リブ（チューブ係止部）１３ｅ，１４ｅをそれぞれ一体突出形成してある。また、カバー１８の裏面のチューブ係止用リブ１３ｅ，１４ｅに相対向する位置には、上段に位置する各コルゲートチューブ９の凹凸外面の環状凹部９ａに係止されるチューブ係止用リブ（チューブ係止部）１８ｅをそれぞれ一体突出形成してある。さらに、コルゲートチューブ９を外装したワイヤハーネス８は複数の電線８ａを結束テープ８ｂにより集束することにより構成されている。
【００２７】
以上実施形態のワイヤハーネス用プロテクタ１０によれば、プロテクタ本体１１内の両側壁１３，１３′及び仕切壁１４間にワイヤハーネス８を挿通させたコルゲートチューブ９を上下及び左右方向に多段配索する前において、図１に示すように、電線保持用スペーサ２０は一方の側壁１３の外側へ倒した状態（両側壁１３，１３′及び仕切壁１４の各切欠部１３ｃ，１４ｃ間を開いた状態）にしておく。この状態より、プロテクタ本体１１内の両側壁１３，１３′及び仕切壁１４間の下段側（底壁１２側）にワイヤハーネス８を挿通させた一対のコルゲートチューブ９，９を図１中矢印に示すように挿入して配索する。
【００２８】
次に、プロテクタ本体１１の両側壁１３，１３′及び仕切壁１４の各切欠部１３ｃ，１４ｃ間に電線保持用スペーサ２０を収容するように閉じて該電線保持用スペーサ２０の係止爪２４を係合部１７′に係止すると、電線保持用スペーサ２０の裏面２０ｂのチューブ係止用リブ２５及び両側壁１３，１３′及び仕切壁１４の相対向する内面のチューブ係止用リブ１３ｄ，１４ｄが下段に位置する各コルゲートチューブ９の凹凸外面の環状凹部９ａに係止される。これにより、下段に位置する各コルゲートチューブ９は動くことなく位置決めされてプロテクタ本体１１内の所定位置に固定される。この際、各コルゲートチューブ９の中途及び両端側の環状凹部９ａは、プロテクタ本体１１の両側壁１３，１３′及び仕切壁１４の相対向する内面のチューブ係止用リブ１３ｅ，１４ｅと両電線導出口１５ａ，１５ｂのＵ字状のチューブ係止用リブ１３ｅ，１４ｅに係止される。
【００２９】
この状態より、プロテクタ本体１１内の両側壁１３，１３′及び仕切壁１４間の上段側（電線保持用スペーサ２０の表面２０ａ側）にワイヤハーネス８を挿通させた一対のコルゲートチューブ９，９を挿入して配索し、カバー１８の各係止爪１９をプロテクタ本体１１の両側壁１３，１３′の各係合部１７に係止して該カバー１８でプロテクタ本体１１の開口部１３ｂを覆うと、上段に位置する各コルゲートチューブ９の電線保持用スペース２０上の環状凹部９ａは、電線保持用スペーサ２０の両側壁２２，２２′及び仕切壁２３の相対向する内面のチューブ係止用リブ２６に係止される。また、上段に位置する各コルゲートチューブ９の中途及び両端側の環状凹部９ａは、プロテクタ本体１１の両側壁１３，１３′及び仕切壁１４の相対向する内面のチューブ係止用リブ１３ｅ，１４ｅと両電線導出口１５ａ，１５ｂのＵ字状のチューブ係止用リブ１３ｅ，１４ｅ及びカバー１８の裏面のチューブ係止用リブ１８ｅに係止される。
【００３０】
このように、プロテクタ本体１１の両側壁１３，１３′の一方の側壁１３に一体形成された薄肉のヒンジ部２１を介して電線保持用スペーサ２０を閉動作して該電線保持用スペーサ２０の係止爪をプロテクタ本体１１の他方の側壁１３′の係合部１７′に係止するだけの簡単な操作により、ワイヤハーネス８を挿通させた下段側に位置するコルゲートチューブ９を該プロテクタ本体１１内に位置決めして確実かつ簡単に保持することができる。これにより、ワイヤハーネス８を挿通させたコルゲートチューブ９の多段配索を確実かつ簡単に行うことができる。
【００３１】
また、プロテクタ本体１１の底壁１２の中央に仕切壁１４を一体突出形成し、この仕切壁１４及びプロテクタ本体１１の両側壁１３，１３′に電線保持用スペーサ２０を収容する切欠部１３ｃ，１４ｃを形成し、一方の側壁１３の切欠部１３ｃの下縁部１３ｃ′に薄肉のヒンジ部２１を介して電線保持用スペーサ２０を開閉動自在に支持したので、プロテクタ本体１１の両側壁１３，１３′及び仕切壁１４の各切欠部１３ｃ，１４ｃに閉じた電線保持用スペーサ２０を収容することができると共に、プロテクタ本体１１内の上下方向及び左右方向に仕切壁１４及び電線保持用スペーサ２０の仕切壁２３を介してワイヤハーネス８を挿通させた４本のコルゲートチューブ９を上下２段、左右２列に位置決めして確実かつ簡単に配索することができる。
【００３２】
図３は本発明の他の実施形態のワイヤハーネス用プロテクタのカバーを閉じる前の状態を示す斜視図である。
【００３３】
図３に示すように、このワイヤハーネス用プロテクタ１０′は、底壁１２と該底壁１２の両端側より上方に起立した両側壁１３，１３′とで樋状（断面コ字状）に形成されたプロテクタ本体１１の内部にワイヤハーネス８を挿通させたコルゲートチューブ９を上下方向に３段（多段）に積み重ねるように収容するものであり、プロテクタ本体１１の両側壁１３，１３′及び仕切壁１４の電線導出口１５ｂ寄りの位置には長短の各切欠部１３ｃ，１４ｃを形成してある。そして、プロテクタ本体１１の一方の側壁１３の短尺の切欠部１３ｃの下縁部１３ｃ′には薄肉のヒンジ部２１を介して中段に位置するコルゲートチューブ９を保持する電線保持用スペーサ２０を一体突出形成してあると共に、プロテクタ本体１１の一方の側壁１３の長尺の切欠部１３ｃの下縁部１３ｃ′には薄肉のヒンジ部２１を介して最下段に位置するコルゲートチューブ９を保持する電線保持用スペーサ２０′を一体突出形成してある。尚、他の構成は前記ワイヤハーネス用プロテクタ１０と同様であるので、同一構成部分に同一符号を付して詳細な説明は省略する。
【００３４】
この他の実施形態のワイヤハーネス用プロテクタ１０′では、プロテクタ本体１１の底壁１２の中央に仕切壁１４を一体突出形成し、この仕切壁１４及びプロテクタ本体１１の両側壁１３，１３′に電線保持用スペーサ２０を収容する長短の切欠部１３ｃ，１４ｃを形成し、一方の側壁１３の各切欠部１３ｃの下縁部１３ｃ′に薄肉のヒンジ部２１を介して電線保持用スペーサ２０，２０′を開閉動自在に支持したので、プロテクタ本体１１の両側壁１３，１３′及び仕切壁１４の各切欠部１３ｃ，１４ｃに閉じた各電線保持用スペーサ２０，２０′を収容することができると共に、プロテクタ本体１１内の上下方向及び左右方向に仕切壁１４及び電線保持用スペーサ２０，２０′の各仕切壁２３を介してワイヤハーネス８を挿通させた６本のコルゲートチューブ９を上下３段、左右２列に位置決めして確実かつ簡単に配索することができる。
【００３５】
尚、前記各実施形態によれば、プロテクタ本体内に電線保持用スペーサを介してワイヤハーネスを挿通させたコルゲートチューブを保持するようにしたが、電線保持用スペーサでワイヤハーネスを直接保持するようにしても良い。
【図面の簡単な説明】
【００３６】
【図１】本発明の実施形態のワイヤハーネス用プロテクタのカバーを閉じる前の状態を示す斜視図である。
【図２】上記カバーを閉じた状態を示す正面図である。
【図３】本発明の他の実施形態のワイヤハーネス用プロテクタのカバーを閉じる前の状態を示す斜視図である。
【図４】従来のワイヤハーネス用プロテクタのワイヤハーネス配索前の斜視図である。
【図５】上記従来のワイヤハーネス用プロテクタの斜視図である。
【符号の説明】
【００３７】
８  ワイヤハーネス
９  コルゲートチューブ
１０，１０′  ワイヤハーネス用プロテクタ
１１  プロテクタ本体
１２  底壁
１３，１３′  両側壁
１３  一方の側壁
１３′  他方の側壁
１３ａ  上端
１３ｂ  開口部
１３ｃ  切欠部
１３ｃ′  下縁部
１４  仕切壁
１４ｃ  切欠部
１７′  係合部
１８  カバー
２０，２０′  電線保持用スペーサ
２１  ヒンジ部
２４  係止爪（係止部）
【図１】
2005295728.tif 000003
【図２】
2005295728.tif 000004
【図３】
2005295728.tif 000005
【図４】
2005295728.tif 000006
【図５】
2005295728.tif 000007